(57)【要約】【課題】強度を維持した状態で効率よく収納対象物を収納できる収納容器を提供する。【解決手段】第１基板を折り曲げて矩形枠状に形成され、上方に開口する外トレー１０と、第２基板を折り曲げて矩形枠状に形成され、下端側に開口し上端側に伸長材５０が貼設される貼付面を有し外トレーの内部に装着される内枠３０とを備える。内枠は、互いに交差して矩形に配置される側壁部３１Ａ、３１Ｂと、隣り合う側壁部の各交差部にそれぞれ設けられ隣り合う側壁部の上端同士を局所的に連結する連結壁３２と、平面視において側壁部の各上端と連結壁とで囲まれた開口部３３とを有する。側壁部のそれぞれは、第２基板の一部を折り曲げて重ね合わされた複合壁である。貼付面は、側壁部の各上端と連結壁の上面とを含む。【選択図】図１
2019089580.tif 000002
【特許請求の範囲】
【請求項１】
第１基板を折り曲げて矩形枠状に形成され、上方に開口する外トレーと、
第２基板を折り曲げて矩形枠状に形成され、下端側に開口し上端側に伸長材が貼設される貼付面を有し前記外トレーの内部に装着される内枠と、
を備え、
前記内枠は、互いに交差して矩形に配置される側壁部と、隣り合う前記側壁部の各交差部にそれぞれ設けられ隣り合う前記側壁部の上端同士を局所的に連結する連結壁と、平面視において前記側壁部の各上端と前記連結壁とで囲まれた開口部とを有し、
前記側壁部のそれぞれは、前記第２基板の一部を折り曲げて重ね合わされた複合壁であり、
前記貼付面は、前記側壁部の各上端と前記連結壁の上面とを含む、収納容器。
【請求項２】
前記矩形枠状の内枠のうち長辺を形成する前記複合壁は、前記第２基板において前記上端の位置を折り曲げ線として、当該折り曲げ線よりも内側に配置された内板部と外側に配置された外板部とが重ね合わされている、請求項１記載の収納容器。
【請求項３】
前記第２基板は、フルートを有する段ボールで形成され、
前記フルートは、前記長辺方向に延びている、請求項２記載の収納容器。
【請求項４】
前記外トレーは、矩形所の底壁部と、前記底壁部の各端縁から上方に延びる第２側壁部とを有し、
前記第２側壁部は、前記内枠が前記外トレーに装着されたときに、前記貼付面よりも上方に突出する突出壁を有する、請求項１から３のいずれか一項に記載の収納容器。
【請求項５】
前記突出壁は、前記矩形枠状の外トレーのうち長辺方向に対向する第２側壁部にそれぞれ設けられている、請求項４記載の収納容器。
【請求項６】
前記長辺方向に対向する第２側壁部のそれぞれは、前記第１基板において前記底壁部から外側に張り出す第１側板と、折り曲げ線を介して前記第１側板から外側に張り出す第２側板とを有し、
前記突出壁は、前記第１側板に形成された破断線と前記折り曲げ線とで囲まれた領域に設けられている、請求項５記載の収納容器。
【発明の詳細な説明】
【技術分野】
【０００１】
本発明は、生鮮食品や割れ物等の包装材などとして使用可能な伸張シートを利用した収納容器に関するものである。
【背景技術】
【０００２】
果実、野菜等の生鮮食品や、瀬戸物、ガラス等の割れやすい製品の包装には、緩衝材を有する収納容器が使用されている。
この種の収納容器としては、一面に物品収納凹部を形成した柔軟性のある合成樹脂フィルムを張設した枠体を上面開口有底トレーに装着した収納容器が開示されている（特許文献１参照）。特許文献２には、緩衝機能性フィルムを有する天板が折り曲げられた際に緩衝機能性フィルムで収納物を挟持する挟持材と、当該挟持材が内部に装着される外箱とを有する収納容器が開示されている。
【０００３】
ところが、特許文献１に記載された収納容器は、物品収納凹部が予め成形されているため、物品毎に合成樹脂フィルムを張設した枠体を用意する必要がある。また、特許文献２に記載された収納容器は、緩衝機能性フィルムで収納物を挟持するため、天板、底板の双方に緩衝機能性フィルムが必要になってしまう。
【０００４】
そこで、特許文献３には、非伸縮性の基材に切込みを付与することで形成した伸張シートを有する収納容器が開示されている。
【先行技術文献】
【特許文献】
【０００５】
【特許文献１】特開２００９−１７９３４４号公報
【特許文献２】特開２００４−０５１１６３号公報
【特許文献３】特開２０１６−１５５６０１号公報
【発明の概要】
【発明が解決しようとする課題】
【０００６】
しかしながら、特許文献３に記載された収納容器では、基板の一部に伸張シートを形成しているため、包装対象物の収納領域を広げることが強度上困難である。そのため、特許文献３に記載された収納容器では、収納容器の大きさに対して収納領域が小さいという問題があった。
【０００７】
本発明は、以上のような点を考慮してなされたもので、強度を維持した状態で効率よく収納対象物を収納できる収納容器を提供することを目的とする。
【課題を解決するための手段】
【０００８】
［１］  第１基板を折り曲げて矩形枠状に形成され、上方に開口する外トレーと、
第２基板を折り曲げて矩形枠状に形成され、下端側に開口し上端側に伸長材が貼設される貼付面を有し前記外トレーの内部に装着される内枠と、を備え、前記内枠は、互いに交差して矩形に配置される側壁部と、隣り合う前記側壁部の各交差部にそれぞれ設けられ隣り合う前記側壁部の上端同士を局所的に連結する連結壁と、平面視において前記側壁部の各上端と前記連結壁とで囲まれた開口部とを有し、前記側壁部のそれぞれは、前記第２基板の一部を折り曲げて重ね合わされた複合壁であり、前記貼付面は、前記側壁部の各上端と前記連結壁の上面とを含む、収納容器。
［２］  前記矩形枠状の内枠のうち長辺を形成する前記複合壁は、前記第２基板において前記上端の位置を折り曲げ線として、当該折り曲げ線よりも内側に配置された内板部と外側に配置された外板部とが重ね合わされている、［１］記載の収納容器。
［３］  前記第２基板は、フルートを有する段ボールで形成され、前記フルートは、前記長辺方向に延びている、［２］記載の収納容器。
［４］  前記外トレーは、矩形所の底壁部と、前記底壁部の各端縁から上方に延びる第２側壁部とを有し、前記第２側壁部は、前記内枠が前記外トレーに装着されたときに、前記貼付面よりも上方に突出する突出壁を有する、［１］から［３］のいずれか一項に記載の収納容器。
［５］  前記突出壁は、前記矩形枠状の外トレーのうち長辺方向に対向する第２側壁部にそれぞれ設けられている、［４］記載の収納容器。
［６］  前記長辺方向に対向する第２側壁部のそれぞれは、前記第１基板において前記底壁部から外側に張り出す第１側板と、折り曲げ線を介して前記第１側板から外側に張り出す第２側板とを有し、前記突出壁は、前記第１側板に形成された破断線と前記折り曲げ線とで囲まれた領域に設けられている、［５］記載の収納容器。
【発明の効果】
【０００９】
本発明では、強度を維持した状態で効率よく包装対象物を収納することが可能になる。
【図面の簡単な説明】
【００１０】
【図１】本発明の収納容器の一例に関する分解斜視図である。
【図２】折り曲げたときに外トレー１０として作製される前の第１基板２０を示す平面図である。
【図３】折り曲げたときに内枠３０として作製される前の第２基板４０を示す平面図である。
【図４】第１基板２０を折り曲げて外トレー１０を作製する手順を示す図である。
【図５】第１基板２０を折り曲げて外トレー１０を作製する手順を示す図である。
【図６】第２基板４０を折り曲げて内枠３０を作製する手順を示す図である。
【図７】第２基板４０を折り曲げて内枠３０を作製する手順を示す図である。
【図８】収納容器１を長辺方向を含む面で切断した断面図である。
【発明を実施するための形態】
【００１１】
以下、本発明の収納容器の実施の形態を、図１ないし図８を参照して説明する。
図１は、収納容器１の分解斜視図である。
収納容器１は、外トレー１０、内枠３０及び伸張材５０を備えている。内枠３０は、外トレー１０の内部に上方から装着される。伸張材５０は、内枠３０の上端側に貼付される。外トレー１０及び内枠３０は、例えば、段ボールを折り曲げることによりそれぞれ作製される。
【００１２】
外トレー１０は、平面視矩形状の底壁部１１、及び底壁部１１の各端縁から上方に延びる側壁部（第２側壁部）１２Ａ、１２Ｂを備えている。側壁部１２Ａは、底壁部１１の長辺方向（以下、単に長辺方向と称する）で対向している。側壁部１２Ｂは、底壁部１１の短辺方向（以下、単に短辺方向と称する）で対向している。側壁部１２Ａは、上方に突出する突出壁１３をそれぞれ有している。突出壁１３は、側壁部１２Ａの中央部側に局所的に設けられている。
【００１３】
内枠３０は、角筒状に形成されている。内枠３０は、側壁部３１Ａ、３１Ｂと、連結壁３２とを有している。側壁部３１Ａ、３１Ｂは、互いに交差して矩形に配置されている。側壁部３１Ａは、長辺方向で対向している。側壁部３１Ａは、後述する側板４３、４４の重ね合わせを保持する保持部３４を有している。
【００１４】
側壁部３１Ｂは、短辺方向で対向している。連結壁３２は、隣り合う側壁部３１Ａと側壁部３１Ｂとの各交差部にそれぞれ配置されている。連結壁３２は、隣り合う側壁部３１Ａ、３１Ｂの上端同士を局所的に連結する。連結壁３２は、側壁部３１Ａ、３１Ｂの各上端の一部を一辺とし、側壁部３１Ａ及び側壁部３１Ｂを繋ぐ線分を斜辺とする平面視で直角三角形状の板状に形成されている。
【００１５】
内枠３０は、下端側については、側壁部３１Ａ、３１Ｂに囲まれた矩形状に開口している。内枠３０は、上端側については、側壁部３１Ａ、３１Ｂの各上端と連結壁３２の上記斜辺とに囲まれた略八角形の開口部３３を有している。
【００１６】
側壁部３１Ａ、３１Ｂの一部によって形成される連結壁３２の一辺の長さが短い場合は、側壁部３１Ａと側壁部３１Ｂとの連結強度が小さくなり安定性に欠ける可能性がある。一方、側壁部３１Ａ、３１Ｂの一部によって形成される連結壁３２の一辺の長さが長い場合は、開口部３３の面積が小さくなり、後述する収納対象物を収納可能な領域が小さくなってしまう。従って、連結壁３２の一辺の長さは、側壁部３１Ａ及び側壁部３１Ｂとの連結強度、及び十分な収納領域を確保することを考慮して設定することが好ましい。
【００１７】
内枠３０における長辺方向の最大幅は、外トレー１０における側壁部１２Ａ間の距離（すなわち、外トレー１０における内部空間の長辺方向の距離）よりも小さい。内枠３０における短辺方向の最大幅は、外トレー１０における側壁部１２Ｂ間の距離（すなわち、外トレー１０における内部空間の短辺方向の距離）よりも小さい。従って、内枠３０は、外トレー１０の内部空間に挿入して装着される。内枠３０における側壁部３１Ａ、３１Ｂの高さは、外トレー１０の内部空間の深さ以下に設定されている。外トレー１０における突出壁１３の上端の位置は、外トレー１０の内部空間に装着された内枠３０の側壁部３１Ａ、３１Ｂの高さよりも上側に設定されている。
【００１８】
伸張材５０は、内枠３０における側壁部３１Ａ、３１Ｂの上端及び連結壁３２の上面と、各側壁部３１Ａ、３１Ｂの上端側の外面を覆う大きさに形成されている（図３参照）。従って、側壁部３１Ａ、３１Ｂの上端及び連結壁３２の上面は、伸張材５０が貼設される貼付面を形成する。伸張材５０は、一例として、各側壁部３１Ａ、３１Ｂの外面においてホットメルトによって接着固定されている。伸張材５０の固定手段としては、両面テープ等の他の手段を用いてもよい。
【００１９】
伸張材５０としては、収納対象物による負荷に応じて伸張するものであれば、特に限定されない。伸張材５０としては、例えば、樹脂製の線材を網目状に形成した樹脂ネットや、特開２０１６−１５５６０１号公報に開示されているように、非伸縮性の平坦な基材に複数の切込みが形成された伸張シート、伸縮性を有するシート等を用いることができる。
【００２０】
図２は、折り曲げたときに外トレー１０として作製される前の第１基板２０を示す平面図である。換言すると、図２は、折り曲げて形成された外トレー１０の展開図である。図２において破線は、折り曲げ線（罫線）である。図２において実線のうち、外形輪郭以外の実線は破断線である。第１基板２０は、例えば、段ボールに対して所定の外形輪郭、折り曲げ線（罫線）及び破断線を形成したものである。第１基板２０を構成するダンボールのフルートは、短辺方向に延びて形成されている。
【００２１】
図２に示すように、第１基板２０は、底壁部１１を形成する底板２１と、側壁部１２Ａを形成する側板２２、２３と、側壁部１２Ｂを形成する側板２４、２５とを有する。側板（第１側板）２２は、底板２１から折り曲げ線６１を介して長辺方向の外側に張り出している。側板（第２側板）２３は、側板２２から折り曲げ線６２を介して外側に張り出している。側板２２と側板２３とは、折り曲げ線６２で折り曲げられたときに重ね合わされて複合壁として側壁部１２Ａを形成する。
【００２２】
側板２２には、両端においてそれぞれ折り曲げ線６２とつながる破断線６３が形成されている。折り曲げ線６２は、短辺方向の端部と破断線６３との間に形成されている。破断線６３と折り曲げ線６２とで囲まれた領域に突出壁１３が形成される。
【００２３】
側板２３の長辺方向先端には、短辺方向の外側にそれぞれ延出する延出板２６が設けられている。
【００２４】
側板２４は、底板２１から折り曲げ線６４を介して短辺方向の外側に張り出している。側板２５は、側板２４から折り曲げ線６５を介して短辺方向の外側に張り出している。側板２４と側板２５とは、折り曲げ線６５で折り曲げられたときに重ね合わされて複合壁として側壁部１２Ｂを形成する。側板２４、２５の長辺方向（長さ方向）の両側にはフラップ部２４Ａ、２５Ａがそれぞれ設けられている。側板２５におけるフラップ部２５Ａとの境界には、短辺方向の外側から切欠部２７が設けられている。切欠部２７の短辺方向の長さは、延出板２６の長辺方向の長さよりも大きく形成されている。
【００２５】
図３は、折り曲げたときに内枠３０として作製される前の第２基板４０を示す平面図である。換言すると、図３は、折り曲げて形成された内枠３０の展開図である。図３において破線は、折り曲げ線（罫線）である。図３において実線のうち、外形輪郭以外の実線は破断線である。第２基板４０は、例えば、段ボールに対して所定の外形輪郭、折り曲げ線（罫線）及び破断線を形成したものである。第２基板４０を構成するダンボールのフルートは、長辺方向に延びて形成されている。
【００２６】
図３に示すように、第２基板４０は、連結壁３２及び側板４２が形成される天板４１と、側壁部３１Ａを形成する側板４３、４４と、側壁部３１Ｂを形成する側板４５とを有する。側板４３は、天板４１から折り曲げ線７１を介して長辺方向の外側に張り出している。側板４４は、側板４３から折り曲げ線７２を介して外側に張り出している。側板４３と側板４４とは、折り曲げ線７２で折り曲げられたときに重ね合わされて複合壁として側壁部３１Ａを形成する。
【００２７】
側板４３は、短辺方向に延びる折り曲げ線７３から折り曲げ線７５に向かうのに従って、短辺方向の幅が漸次広くなる保持板４６を有している。側板４４は、短辺方向に延びる折り曲げ線７４から折り曲げ線７５に向かうのに従って、短辺方向の幅が漸次広くなる保持板４７を有している。折り曲げ線７５は、側板４３と側板４４との境界に、保持板４６、４７の最大幅の長さで形成されている。保持板４６と保持板４７とは、折り曲げ線７５で折り曲げられたときに重ね合わされて複合壁として保持部３４を形成する。
【００２８】
側板４５は、天板４１から折り曲げ線７６を介して短辺方向の外側に張り出している。側板４２と側板４５とは、折り曲げ線７６で折り曲げられたときに重ね合わされて複合壁として側壁部３１Ｂを形成する。側板４５の長辺方向（長さ方向）の両側にはフラップ部４５Ａがそれぞれ設けられている。
【００２９】
伸長材５０は、上述したように、折り曲げられる前の第２基板４０の状態で側板４３及び側板４５にホットメルト等により各端縁が接着固定され天板４１を覆っている。
【００３０】
次に、第１基板２０及び第２基板４０を折り曲げて外トレー１０及び内枠３０を作製する手順について、図４乃至図７を参照して説明する。
なお、収納容器１においては、長辺方向の両側での構成は同様であるため、以下では長辺方向の一方側のみを図示して説明する。
【００３１】
［外トレー１０の作製］
第１基板２０を用いて外トレー１０を作製する際には、まず、図２に示した側板２５を折り曲げ線６５で谷折りし、側板２５と側板２４、及びフラップ部２５Ａとフラップ部２４Ａとを重ね合わせて側壁部１２Ｂを形成するとともに、形成した側壁部１２Ｂを折り曲げ線６４で谷折りし、図４に示すように、底壁部１１の短辺方向両側の端縁から上方に延びるように突出（起立）させる。なお、側板２４を折り曲げ線６４で谷折りした後に、側板２５を折り曲げ線６５で谷折りし、側板２５と側板２４、及びフラップ部２５Ａとフラップ部２４Ａとを重ね合わせて側壁部１２Ｂを形成する手順としてもよい。
【００３２】
次に、フラップ部２４Ａ、２５Ａを内側に折り曲げた後に、側板２２を折り曲げ線６１で谷折りし起立させる。次に、側板２３を折り曲げ線６２で谷折りすることにより、図５に示すように、側板２３をフラップ部２５Ａと重ね合わせ、側板２２と側板２３との間でフラップ部２４Ａ、２５Ａを挟持させる。これにより、フラップ部２４Ａ、２５Ａを挟んで側板２２と側板２３とが重ね合わされた側壁部１２Ａが形成される。側板２３を折り曲げた際には、延出版２６を切欠部２７に挿入することにより、側板２３の折り曲げ状態を保持させる。
【００３３】
折り曲げ線６２は、突出壁１３よりも短辺方向の外側に形成されているため、突出壁１３は、側板２３を折り曲げ際に側板２３から延出し、側壁部１２Ａの上端よりも突出する。このようにして、外トレー１０が作製される。
【００３４】
［内枠３０の作製］
内枠３０の作製については、理解を容易にするために、図１に示した方向とは上下を逆とした内枠３０を作製する手順を説明する。この場合、図３に示した第２基板４０においては、伸張材５０は、裏面側に貼設されている。
【００３５】
第２基板４０を用いて内枠３０を作製する際には、まず、図３に示した側板４２と側板４５とを折り曲げ線７６で谷折りにして起立させ、図６に示すように、側板４２と側板４５とを重ね合わせて側壁部３１Ｂを形成するとともに、フラップ部４５Ａを内側に折り曲げる。
【００３６】
次に、側板４３を折り曲げ線７１で谷折りして起立させる。次に、側板４４を折り曲げ線７２で谷折りにすることにより、図７に示すように、側板４４をフラップ部４５Ａと重ね合わせ、側板４３と側板４４との間でフラップ部４５Ａを挟持させる。これにより、フラップ部４５Ａを挟んで側板４３と側板４４とが重ね合わされた側壁部３１Ａが形成される。
【００３７】
折り曲げられた側板４４は、側壁部３１Ｂの側板４２に短辺方向内側から係合する。これにより、起立された側板４２が倒伏することが防止され、側壁部３１Ｂにおける側板４２と側板４５との重ね合わせが保持される。
【００３８】
側板４４を折り曲げた際には、保持板４６と保持板４７とが折り曲げ線７５で折り曲げられて重ね合わされ保持部３４が形成される。次いで、形成された保持部３４を折り曲げ線７３、７４で折り曲げて（図７では折り曲げ線７３は図示せず）長辺方向の内側に傾ける。保持板４６は折り曲げ線７３を支点として傾くため、保持板４７の移動より側板４４に形成されたＶ字状の溝に、保持板４６における当該溝よりも大きな幅の部分が圧入状態で嵌合する。これにより、折り曲げられた側板４４が開いてしまうことが防止され、側壁部３１Ａにおける側板４３と側板４４との重ね合わせが保持される。
このようにして、内枠３０が作製される。
【００３９】
作製された内枠３０は、伸張材５０が貼設された側を上方に向けた状態で外トレー１０の内部に上方から装着されて収納容器１が形成される。
【００４０】
図８は、収納容器１を長辺方向を含む面で切断した断面図である。
図８に示すように、収納容器１においては、伸張材５０に収納対象物Ｆが宙吊り状態で収納されている。伸張材５０は、天板４１を覆って貼設されているが、天板４１においては連結壁３２を除き開口部３３となる。連結壁３２は、矩形に配置された側壁部３１Ａ、３１Ｂが交差する隅部のみに配置されているため、側壁部３１Ａ、３１Ｂに囲まれた矩形領域のほぼ全てを収納領域として用いることができる。
【００４１】
また、本実施形態の収納容器１においては、枠体３０の側壁部３１Ｂが側板４２と側板４５とを重ね合わせた複合壁で形成されているため、枠体３０が大きな開口部３３を有している場合も十分な強度を発現可能である。そのため、側壁部３１Ａ、３１Ｂのうち、長辺方向に沿って配置される側壁部３１Ｂは強度を考慮して、短辺方向に延びるようにフルートが設定されることが多いが、側壁部３１Ｂが複合壁で形成されて強度を有していることから長辺方向に延びるようにフルートを設定することが可能になる。
【００４２】
さらに、本実施形態の収納容器１においては、上記複合壁となる側板４２が、第２基板４０において折り曲げ線７６よりも内側で折り曲げ後に開口部３３となる位置に配置されているため、側板４２を側板４５よりも外側に配置した場合のように、第２基板４０が大きくなり段ボールの使用量が増加することを回避できる。
【００４３】
また、本実施形態の収納容器１においては、伸張材５０の貼付面よりも上方に突出した突出壁１３が長辺方向の両側に配置されているため、突出壁１３が衝立となって収納対象物Ｆの移動（滑り）を阻止できる。また、本実施形態の収納容器１においては、側板２２の一部を用いて突出壁１３を形成しているため、突出壁１３を設けることに伴って段ボールの使用量が増加することを回避できる。
【００４４】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００４５】
例えば、上記実施形態では、突出壁１３を側壁部１２Ａに設ける構成を例示したが、この構成に限定されず、側壁部１２Ｂに設ける構成や、側壁部１２Ａ、１２Ｂの双方に設ける構成であってもよい。また、突出壁１３を局所的に配置する構成に限定されず、外トレー１０に全周に亘って設ける構成であってもよい。突出壁１３を全周に亘って設ける場合には、例えば、外トレー１０の内部空間の深さを内枠の高さよりも高くすることも可能であるが、段ボールの使用量を抑えることを考慮して、上述したように局所的に設けることが好ましい。
【００４６】
また、上記実施形態の収納容器１では、外トレー１０及び内枠３０が矩形（長方形）である構成を例示したが、この構成に限定されず平面視正方形であってもよい。外トレー１０及び内枠３０が平面視正方形である場合には、対向する二組の辺のうち一方を上記実施形態で説明した短辺として側壁部１２Ａ、３１Ａとし、他方を長辺として側壁部１２Ｂ、３１Ｂを配置すればよい。
【符号の説明】
【００４７】
１０…外トレー、  １１…底壁部、  １２Ａ、１２Ｂ…側壁部（第２側壁部）、  １３…突出壁、  ２０…第１基板、  ２２…側板（第１側板）、  ３０…内枠、  ３１Ａ、３１Ｂ…側壁部、  ３２…連結壁、  ３３…開口部、  ４０…第２基板、  ５０…伸張材、  ６２…折り曲げ線、  ６３…破断線
【図１】
2019089580.tif 000003
【図２】
2019089580.tif 000004
【図３】
2019089580.tif 000005
【図４】
2019089580.tif 000006
【図５】
2019089580.tif 000007
【図６】
2019089580.tif 000008
【図７】
2019089580.tif 000009
【図８】
2019089580.tif 000010